(57)【要約】【課題】  設定された時刻と現在時刻のズレの防止し、簡易に時刻修正を行なうことができる撮影装置及びそのプログラムを実現する。【解決手段】  図３に示すような撮影条件と推定時刻の換算テーブルを予めＲＯＭ８に記録しておき、現在の撮影状況に応じて自動的に設定されたパラメータ又はユーザによって設定された撮影条件のパラメータから時刻の推定を行なう。そして、現在の設定されている時刻と、推定された時刻とを比較し、矛盾する場合には、ユーザに対して警告を行うことにより、旅行先でユーザが撮影装置の時刻合わせを忘れてしまっている場合でも、ユーザに対して時刻合わせが必要な旨を知らせることができる。【選択図】  図３
2006162367.tif 000002
【特許請求の範囲】
【請求項１】
被写体を撮影する撮影手段と、
時刻を計時する時計手段と、
前記時計手段の日付及び時刻を設定する日時設定手段と、
撮影条件のパラメータを設定する設定手段と、
前記設定手段により設定された撮影条件のパラメータから時刻の推定を行なう推定手段と、
前記推定手段により推定された時刻と、前記時刻設定手段により設定された時刻とが矛盾するか否かを判断する判断手段と、
前記判断手段により前記推定手段により推定された時刻と、前記日時設定手段により設定された時刻とが矛盾していると判断された場合には、ユーザに対して正しい時刻の設定が必要な旨を警告する警告手段と、
を備えたことを特徴とする撮影装置。
【請求項２】
前記日時設定手段は、
ユーザによって入力された日付及び時刻を現在の日時として設定することを特徴とする請求項１記載の撮影装置。
【請求項３】
前記設定手段は、
現在の撮影状況に応じて随時自動的に撮影条件のパラメータを設定し、
前記推定手段は、
前記設定手段により随時自動的に設定された撮影条件のパラメータから新たに時刻を推定し、
前記判断手段は、
前記推定手段により自動的に設定された撮影条件のパラメータから新に推定された時刻と、前記日時設定手段により設定された時刻とが矛盾するか否かを判断し、
前記警告手段は、
前記判断手段により前記推定手段により新たに推定された時刻と、前記日時設定手段により設定された時刻とが矛盾していると判断された場合は、ユーザに対して正しい時刻の設定が必要な旨を警告することを特徴とする請求項1又は２記載の撮影装置。
【請求項４】
ユーザが撮影条件のパラメータを指定するための指定手段を備え、
前記設定手段は、
前記指定手段によりパラメータが指定される度に、該指定されたパラメータを撮影条件のパラメータとして設定し、
前記推定手段は、
前記設定手段により撮影条件のパラメータが設定される度に、該設定した撮影条件のパラメータから新たに時刻の推定を行い、
前記判断手段は、
前記推定手段によりユーザの入力により指定された撮影条件のパラメータから新たに推定された時刻と、前記日時設定手段により設定された時刻とが矛盾するか否かを判断し、
前記警告手段は、
前記判断手段により前記推定手段により新たに推定された時刻と、前記に日時設定手段により設定された時刻とが矛盾していると判断された場合は、ユーザに対して正しい時刻の設定が必要な旨を警告することを特徴とする請求項１乃至３の何れかに記載の撮影装置。
【請求項５】
前記推定手段は、
撮影条件と推定時刻の換算テーブルを用いて、前記設定手段により設定された撮影条件のパラメータから時刻の推定を行なうことを特徴とする請求項１乃至４の何れかに記載の撮影装置。
【請求項６】
前記警告手段は、
正しい時刻の設定が必要な旨を音又は音声によってスピーカから放音することによりユーザに対して警告することを特徴とする請求項１乃至５の何れかに記載の撮影装置。
【請求項７】
前記警告手段は、
正しい時刻の設定が必要な旨を表示手段に表示させることによりユーザに対して警告することを特徴とする請求項１乃至６の何れかに記載の撮影装置。
【請求項８】
被写体を撮影する撮影手段と、
日時を計時する計時手段と、
前記撮影手段により撮影された画像データとともに、前記撮影手段による撮影が行われたときの前記計時手段により計時された日時を撮影日時として記録手段に記録する記録制御手段と、
前記記録手段に記録されている画像データの中からユーザが撮影日時の修正を行いたい画像データを複数指定するための指定手段と、
ユーザが撮影日時の誤差日時を入力するための入力手段と、
前記指定手段により指定された複数の画像データの撮影日時に前記入力手段により入力された誤差日時を加えた日時となるように前記指定手段により指定された複数の画像データを更新する更新手段と、
を備えたことを特徴とする撮影装置。
【請求項９】
前記指定手段は、
前記記録手段に記録されている画像データの中からユーザが撮影日時の修正を行ないたい時系列的に連続する画像データの範囲を指定することにより、画像データを複数指定することができることを特徴とする請求項８記載の撮影装置。
【請求項１０】
前記記録手段に記録されている画像データのサムネイル画像を時系列的に表示手段に表示させる表示制御手段を備え、
前記指定手段は、
前記表示手段に表示されたサムネイル画像の中で撮影日時を修正したいサムネイル画像の範囲を指定することにより、画像データを複数指定することができることを特徴とする請求項８又は９記載の撮影装置。
【請求項１１】
日付及び時刻を計時する時計手段と、
ユーザが日時、場所等のスケジュール情報を入力するための入力手段と、
前記計時手段による現在の日時が、前記入力手段により入力された日時となった場合は、前記入力手段により入力された場所の日時となるように前記計時手段の日時の自動的に修正を行なう修正手段と、
を備えたことを特徴とする撮影装置。
【請求項１２】
前記時計手段は、ワールドタイム機能を有し、
前記時計手段のうち基準となる国又は都市の日時を基準日時として指定する指定手段と、
を備え、
前記日時修正手段は、
前記指定手段により指定された基準日時が、前記入力手段により入力された日時となった場合は、前記入力手段により入力された場所の日時となるように前期時計手段に日時の自動修正を行うことを特徴とする請求項１１記載の撮影装置。
【請求項１３】
前記指定手段は、
予め定められた国又は都市の日時を基準日時として指定することを特徴とする請求項１２記載の撮影装置。
【請求項１４】
前記指定手段は、
ユーザによって指定された国又は都市の日時を基準日時として指定することを特徴とする請求項１２記載の撮影装置。
【請求項１５】
前記入力手段は、
更に、自動修正の有無を選択又は入力させるための手段を備え、
前記修正手段は、
前記入力手段により自動修正が有りと選択又は入力された場合は、該入力手段により入力されたスケジュール情報にしたがって、現在設定されている日時を修正し、前記入力手段により自動修正が無しと選択又入力された場合は、該入力手段によりスケジュール情報が入力された場合であっても、現在設定されている日時を修正しないことを特徴とする請求項１１乃至１４の何れかに記載の撮影装置。
【請求項１６】
被写体を撮影する処理と、
現在の時刻を設定する時刻設定処理と、
撮影条件のパラメータを設定する設定処理、
前記設定処理により設定された撮影条件のパラメータから時刻の推定を行なう推定処理と、
前記推定処理により推定された時刻と、前記時刻設定処理により設定された時刻とが矛盾するか否かを判断する処理と、
この処理により前記推定手段により推定された時刻と、前記時刻設定手段により設定された時刻とが矛盾する場合には、ユーザに対して正しい時刻の設定が必要な旨を警告する処理と、
を含み、上記各処理をコンピュータで実行させることを特徴とするプログラム。
【発明の詳細な説明】
【技術分野】
【０００１】
本発明は、撮影装置及びそのプログラムに係り、詳しくは、設定された時刻と現在時刻のズレの防止し、簡易に時刻修正を行なうことができる撮影装置及びそのプログラムに関する。
【背景技術】
【０００２】
従来からデジタルカメラには、日時を設定する機能が搭載されており、デジタルカメラで撮影を行うと、撮影画像とともに撮影日時が記録され、撮影画像の再生時には該撮影日時を表示することができる。
また、世界の現在時刻を有したワールドタイム設定を有するデジタルカメラも登場してきている。
【０００３】
また、下記特許公開公報には、撮影情報記録機能を有するカメラなる発明が開示されている。詳しくは、電源部から装填された電池から電力供給がなされた直後で、且つ、デートが未修正の場合には、フィルムへのデートの写し込みを禁止することにより、電池交換によって、写真フィルムに不適当なデートが書き込まれるのを防止するというものである。
【０００４】
【特許文献１】公開特許公報  特開平８−２７１９６８（段落「００５９」〜段落「０１９２」参照）
【発明の開示】
【発明が解決しようとする課題】
【０００５】
しかしながら、従来のデジタルカメラ等にあっては、日時の設定変更やワールドタイムの設定変更は、ユーザが故意に行なわなければ日時を変更することができないため、旅行先、例えば、海外旅行先でユーザが日時の設定変更を行なうことを忘れてしまった場合には、時刻がずれたまま撮影を行い、後で、再生画像を見たときに始めて時刻がずれていることに気が付くという問題点があった。
また、撮影された画像の時刻修正を行なうことは非常に大変で手間がかかり、面倒であるという問題点もあった。
更に、このような問題点は、上記した特許文献に記載の技術でも解決することができるというものではなかった。
【０００６】
そこで本発明は、かかる従来の問題点に鑑みてなされたものであり、設定された時刻と現在時刻のズレの防止し、簡易に時刻修正を行なうことができる撮影装置及びそのプログラムを提供することを目的とする。
【課題を解決するための手段】
【０００７】
上記目的達成のため、請求項１記載の発明による撮影装置は、被写体を撮影する撮影手段と、
時刻を計時する時計手段と、
前記時計手段の日付及び時刻を設定する日時設定手段と、
撮影条件のパラメータを設定する設定手段と、
前記設定手段により設定された撮影条件のパラメータから時刻の推定を行なう推定手段と、
前記推定手段により推定された時刻と、前記時刻設定手段により設定された時刻とが矛盾するか否かを判断する判断手段と、
前記判断手段により前記推定手段により推定された時刻と、前記時刻設定手段により設定された時刻とが矛盾していると判断された場合には、ユーザに対して正しい時刻の設定が必要な旨を警告する警告手段と、
を備えたことを特徴とする。
【０００８】
また、例えば、請求項２に記載されているように、前記日時設定手段は、
ユーザによって入力された日付及び時刻を現在の日時として設定するようにしてもよい。
【０００９】
また、例えば、請求項３に記載されているように、前記設定手段は、
現在の撮影状況に応じて随時自動的に撮影条件のパラメータを設定し、
前記推定手段は、
前記設定手段により随時自動的に設定された撮影条件のパラメータから新たに時刻を推定し、
前記判断手段は、
前記推定手段により自動的に設定された撮影条件のパラメータから新に推定された時刻と、前記日時設定手段により設定された時刻とが矛盾するか否かを判断し、
前記警告手段は、
前記判断手段により前記推定手段により新たに推定された時刻と、前記日時設定手段により設定された時刻とが矛盾していると判断された場合は、ユーザに対して正しい時刻の設定が必要な旨を警告するようにしてもよい。
【００１０】
また、請求項４に記載されているように、ユーザが撮影条件のパラメータを指定するための指定手段を備え、
前記設定手段は、
前記指定手段によりパラメータが指定される度に、該指定されたパラメータを撮影条件のパラメータとして設定し、
前記推定手段は、
前記設定手段により撮影条件のパラメータが設定される度に、該設定した撮影条件のパラメータから新たに時刻の推定を行い、
前記判断手段は、
前記推定手段によりユーザの入力により指定された撮影条件のパラメータから新たに推定された時刻と、前記日時設定手段により設定された時刻とが矛盾するか否かを判断し、
前記警告手段は、
前記判断手段により前記推定手段により新たに推定された時刻と、前記に日時設定手段により設定された時刻とが矛盾していると判断された場合は、ユーザに対して正しい時刻の設定が必要な旨を警告するようにしてもよい。
【００１１】
また、例えば、請求項５に記載されているように、前記推定手段は、
撮影条件と推定時刻の換算テーブルを用いて、前記設定手段により設定された撮影条件のパラメータから時刻の推定を行なうようにしてもよい。
【００１２】
また、例えば、請求項６に記載されているように、前記警告手段は、
正しい時刻の設定が必要な旨を音又は音声によってスピーカから放音することによりユーザに対して警告するようにしてもよい。
【００１３】
また、例えば、請求項７に記載されているように、前記警告手段は、
正しい時刻の設定が必要な旨を表示手段に表示させることによりユーザに対して警告するようにしてもよい。
【００１４】
上記目的達成のため、請求項８記載の発明による撮影装置は、被写体を撮影する撮影手段と、
日時を計時する計時手段と、
前記撮影手段により撮影された画像データとともに、前記撮影手段による撮影が行われたときの前記計時手段により計時された日時を撮影日時として記録手段に記録する記録制御手段と、
前記記録手段に記録されている画像データの中からユーザが撮影日時の修正を行いたい画像データを複数指定するための指定手段と、
ユーザが撮影日時の誤差日時を入力するための入力手段と、
前記指定手段により指定された複数の画像データの撮影日時に前記入力手段により入力された誤差日時を加えた日時となるように前記指定手段により指定された複数の画像データを更新する更新手段と、
を備えたことを特徴とする。
【００１５】
また、例えば、請求項９に記載されているように、前記指定手段は、
前記記録手段に記録されている画像データの中からユーザが撮影日時の修正を行ないたい時系列的に連続する画像データの範囲を指定することにより、画像データを複数指定することができるようにしてもよい。
【００１６】
また、例えば、請求項１０に記載されているように、前記記録手段に記録されている画像データのサムネイル画像を時系列的に表示手段に表示させる表示制御手段を備え、
前記指定手段は、
前記表示手段に表示されたサムネイル画像の中で撮影日時を修正したいサムネイル画像の範囲を指定することにより、画像データを複数指定することができるようにしてもよい。
【００１７】
上記目的達成のため、請求項１１記載の発明による撮影装置は、日付及び時刻を計時する時計手段と、
ユーザが日時、場所等のスケジュール情報を入力するための入力手段と、
前記計時手段による現在の日時が、前記入力手段により入力された日時となった場合は、前記入力手段により入力された場所の日時となるように前記計時手段の日時の自動的に修正を行なう修正手段と、
を備えたことを特徴とする。
【００１８】
また、例えば、請求項１２に記載されているように、前記時計手段は、ワールドタイム機能を有し、
前記時計手段のうち基準となる国又は都市の日時を基準日時として指定する指定手段と、
を備え、
前記日時修正手段は、
前記指定手段により指定された基準日時が、前記入力手段により入力された日時となった場合は、前記入力手段により入力された場所の日時となるように前期時計手段に日時の自動修正を行うようにしてもよい。
【００１９】
また、例えば、請求項１３に記載されているように、前記指定手段は、
予め定められた国又は都市の日時を基準日時として指定するようにしてもよい。
また、例えば、請求項１４に記載されているように、前記指定手段は、
ユーザによって指定された国又は都市の日時を基準日時として指定するようにしてもよい。
【００２０】
また、例えば、請求項１５に記載されているように、前記入力手段は、
更に、自動修正の有無を選択又は入力させるための手段を備え、
前記修正手段は、
前記入力手段により自動修正が有りと選択又は入力された場合は、該入力手段により入力されたスケジュール情報にしたがって、現在設定されている日時を修正し、前記入力手段により自動修正が無しと選択又入力された場合は、該入力手段によりスケジュール情報が入力された場合であっても、現在設定されている日時を修正しないようにしてもよい。
【００２１】
上記目的達成のため、請求項１６記載の発明によるプログラムは、被写体を撮影する処理と、
現在の時刻を設定する時刻設定処理と、
撮影条件のパラメータを設定する設定処理、
前記設定処理により設定された撮影条件のパラメータから時刻の推定を行なう推定処理と、
前記推定処理により推定された時刻と、前記時刻設定処理により設定された時刻とが矛盾するか否かを判断する処理と、
この処理により前記推定手段により推定された時刻と、前記時刻設定手段により設定された時刻とが矛盾する場合には、ユーザに対して正しい時刻の設定が必要な旨を警告する処理と、
を含み、上記各処理をコンピュータで実行させることを特徴とする。
【発明の効果】
【００２２】
請求項１記載の発明によれば、設定された撮影条件のパラメータから時刻の推定を行い、設定された時刻と推定された時刻が矛盾するか否かを判断し、矛盾する場合には、ユーザに対して警告を行うので、旅行先などで時刻の設定を忘れた場合であっても、ユーザに対して設定された時刻が違うことを知らせることができ、旅行先などでの時刻合わせ忘れを防止することができる。
また、設定時刻が違うことを知らせるので、ユーザは被写体を撮影する前に設定時刻が違うことを認識することができ、設定時刻が違う状態での撮影を防止することができる。
【００２３】
請求項２記載の発明によれば、ユーザが日付、時刻を設定することができるので、正しい時刻又はユーザの所望する時刻、例えば、正しい時刻から５分進んだ時刻などに設定することができる。
【００２４】
請求項３記載の発明によれば、現在の撮影状況に応じて自動的にパラメータを設定し、該設定されたパラメータから時刻を推定するので、例えば、ストロボを発光させる時には夜と推定するので、正しい時刻に近い時刻を推定することができる。
【００２５】
請求項４記載の発明によれば、ユーザは現在の撮影状況に応じて撮影条件のパラメータを入力するのが通常であり、ユーザによって入力された撮影条件のパラメータを設定して、時刻を推定するので、正しい時刻に近い時刻を推定することができる。
【００２６】
請求項５記載の発明によれば、撮影条件と推定時刻の換算テーブルを用いて、設定された撮影条件のパラメータから時刻を推定するので、時刻の推定する処理が早く、より精確な時刻の推定が可能となる。
【００２７】
請求項６記載の発明によれば、スピーカから音や音声を放音してユーザに対して警告を行うので、ユーザは聴覚により警告を認識することができる。
【００２８】
請求項７記載の発明によれば、表示手段に正しい時刻の設定が必要な旨を表示させるので、ユーザは視覚により警告を認識することができる。また、耳が不自由な人であっても、警告を認識することができる。
【００２９】
請求項８乃至１０記載の発明によれば、ユーザが記録手段に記録されている画像データの中からユーザが撮影日時を修正したい画像データを複数指定し、又、撮影日時の誤差日時を入力することにより、該指定された複数画像データの撮影日時に該入力された誤差日時を加えた日時となるように該指定された複数の画像データを一括して更新するので、簡単に撮影画像の撮影日時を修正することができ、設定日時ミスを犯しても手間がかからない。
また、海外旅行等から帰ってきた後に、海外先で時刻合わせをしなかったことを気づいた場合でも、海外先で撮影した画像データを指定し、現地との時差を入力することにより、海外先で撮影した画像データの日時を正しい日時に変更することができる。
【００３０】
請求項１１乃至１４記載の発明によれば、ユーザによって入力されたスケジュール情報にしたがって、時計手段の日時を修正するので、予め登録しておくことにより、旅行先でも正しい日時に自動的に設定され、便利である。
また、旅行中は、楽しさや忙しさに心が奪われて、時刻を現地時刻に合わせることを忘れがちであるが、余裕のある旅行前に予めスケジュールを入力しておくことにより、時刻合わせを気にせず、撮影装置を使用することができる。
【００３１】
請求項１５記載の発明によれば、日時、場所のほかに自動修正の有無を入力し、自動修正が有りの場合は、入力されたスケジュールにしたがって日時の自動修正を行い、自動修正無しの場合は、スケジュールが入力された場合であっても日時の自動修正を行わないので、ユーザの自動修正を行うか否かを選択することができる。
【００３２】
請求項１６記載の発明によれば、既存のデジタルカメラ、パソコン等に読み込ませることにより、本発明の撮影装置を実現することができる。
【発明を実施するための最良の形態】
【００３３】
以下、本実施の形態について、図面を参照して詳細に説明する。
[実施の形態]
Ａ．デジタルカメラの構成
図１は、本発明の撮影装置を実現するデジタルカメラ１の電気的な概略構成を示すブロック図である。
デジタルカメラ１は、撮影レンズ２（フォーカスレンズ２ａ、ズームレンズ２ｂを含む）、絞り兼用シャッタ３、ＣＣＤ４、ユニット回路５、ＴＧ（Timing Generator）６、ＤＲＡＭ７、ＲＯＭ８、ＣＰＵ９、画像表示部１０、フラッシュメモリ１１、カードＩ／Ｆ１２、モータ駆動ブロック１４、キー入力部１５、音声処理部１６、ストロボ駆動部１７、ストロボ発光部１８、時計部１９を備えており、カードＩ／Ｆ１２には、図示しないデジタルカメラ１のカードスロットに着脱自在に装着されたメモリ・カード１３が接続されている。
【００３４】
撮像レンズ２は、複数のレンズ群からなるフォーカスレンズ２ａ、ズームレンズ２ｂを含む。そして、撮像レンズ２にはモータ駆動ブロック１４が接続されており、モータ駆動ブロック１４は、図示しないフォーカスレンズ２ａ、ズームレンズ２ｂをそれぞれ光軸方向に駆動させるフォーカスモータ、ズームモータと、ＣＰＵ９からの制御信号にしたがってフォーカスモータ、ズームモータをそれぞれ駆動させるモータドライバとから構成されている。
【００３５】
絞り兼用シャッタ３は、図示しない駆動回路を含み、駆動回路はＣＰＵ９から送られてくる制御信号にしたがって絞り兼用シャッタを動作させる。この絞り兼用シャッタは、絞りとシャッタとして機能する。
絞りとは、撮影レンズ２から入ってくる光の量を制御する機構のことをいい、シャッタとは、フィルムに光を当てている間の時間を制御する機構のことをいい、フィルムに当てている間の時間はシャッタの開閉の速度（シャッタ速度）によって変わってくる。露出は、この絞りとシャッタ速度によって定めることができる。
【００３６】
ＣＣＤ４は、撮影レンズ２、絞り兼用シャッタ３を介して投影された被写体の光を電気信号に変換し、撮像信号としてユニット回路５に出力する。また、ＣＣＤ４は、ＴＧ６によって生成された所定周波数のタイミング信号にしたがって駆動する。ＴＧ６にはユニット回路５が接続されている。ユニット回路５は、ＣＣＤ４から出力される撮像信号を相関二重サンプリングして保持するＣＤＳ（Correlated Double sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ４の出力信号は、ユニット回路５を経てデジタル信号としてＣＰＵ９に送られる。
【００３７】
ＣＰＵ９は、ユニット回路５から送られてきた画像データの画像処理（画素補間処理、γ補正、輝度色差信号の生成、ホワイトバランス処理、露出補正処理等）、バッファメモリ（ＤＲＡＭ７）に記憶された画像データの圧縮・伸張（例えば、ＪＰＥＧ形式やＭＰＥＧ形式の圧縮・伸張）の処理などを行う機能を有するとともにデジタルカメラ１の各部を制御するワンチップマイコンである。
【００３８】
ＤＲＡＭ７は、ＣＣＤ４によって撮像された後、ＣＰＵ９に送られてきた画像データを一時記憶するバッファメモリとして使用されるとともに、ＣＰＵ９のワーキングメモリとしても使用される。
フラッシュメモリ１１やメモリ・カード１３は、ＣＣＤ４によって撮像された画像ファイルなどを保存しておく記録媒体である。
【００３９】
画像表示部１０は、カラーＬＣＤとその駆動回路を含み、撮影待機状態にあるときにはＣＣＤ４によって撮像された被写体をスルー画像として表示し、記録画像の再生時には、保存用フラッシュメモリ１１やメモリ・カード１３から読み出され、伸張された記録画像を表示させる。画像表示部１０は、本発明の表示手段として機能する。
キー入力部１５は、シャッタボタン、モードキー、メニューキー、設定キー、十字キー等の複数の操作キーを含み、ユーザのキー操作に応じた操作信号をＣＰＵ９に出力する。キー入力部１５は、本発明の指定手段、入力手段として機能する。
【００４０】
音声処理部１６は、内蔵マイク、アンプ、Ａ／Ｄ変換器、Ｄ／Ａ変換器、アンプ、内蔵スピーカ等を含み、音声付き画像の撮影時には、内蔵マイクに入力された音声をデジタル信号に変換してＣＰＵ９に送る。ＣＰＵ９へ送られてきた音声データは、ＤＲＡＭ７に順次蓄積され、ＣＣＤ４によって撮像された画像データとともにフラッシュメモリ１１又はメモリ・カード１３に記録される。
また、音声処理部１６は、音声付画像の再生時には、各画像データに付属する音声データに基く音声等、又は、後述する警告音などを内蔵スピーカから放音する。
【００４１】
ストロボ駆動部１７は、ＣＰＵ９の制御信号にしたがって、ストロボ発光部１８を閃光駆動させ、ストロボ発光部１８はストロボを閃光させる。ＣＰＵ９は、図示しない測光回路によって撮影シーンが暗いか否かを判断し、撮影シーンが暗いと判断し、且つ、撮影を行うと判断した場合（シャッタボタン押下時）には、ストロボ駆動部１７に制御信号を送る。
【００４２】
時計部１９は、現在の日時を計時するものである。また、時計部１９は内蔵メモリを有し、内蔵メモリには、国別又は都市別にグリニッジ標準時（ＧＭＴ）の時差情報が登録されている。つまり、ワールドタイム機能を有する。この時計部１９は、本発明の時計手段として機能する。
【００４３】
Ｂ．以下、本発明の特徴となるデジタルカメラ１のそれぞれの構成の機能について説明する。
ユーザのキー入力部１５の操作によりデジタルカメラ１の電源がＯＮされると、ＣＰＵ９は、スケジュールの登録を行なうか否かを判断する。この判断は、ユーザのキー入力部１５のメニューキーの操作によりスケジュール登録を行なう旨の操作信号がＣＰＵ９に送られてきたか否かにより判断する。
【００４４】
スケジュールの登録を行なうと判断すると、ＣＰＵ９は、画像表示部１０にスケジュール表を表示させる。
このスケジュール表を見て、ユーザが自分のスケジュールにしたがって、日時（日付及び時刻）、場所及び自動修正の有無を入力又は選択することができる。
【００４５】
図２は、画像表示部１０に表示され、ユーザによって日時が入力された後のスケジュール表を示すものである。
図２のスケジュール表の１列目の日時の欄は、「２００４年１０月５日  ８：３０」、場所の欄は「東京」、自動修正の欄は「無し」と記入されている。
【００４６】
また、２列目の日時の欄は「２００４年１０月６日  １２：００」、場所の欄は「香港」、自動修正の欄は「有り」と記入されている。このように、ユーザは、画像表示部１０に表示されたスケジュール表に自分のスケジュールを入力する。
この1列目のスケジュールは、２００４年１０月５日  ８時３０分（日本日時）に東京に居ることを意味し、日時の自動修正を行なわないことを意味している。この時ユーザは、まだ東京に居るからであり、現在時計部１９の設定日時は、日本日時ということになる。
【００４７】
また、２列目のスケジュールは、２００４年１０月６日  １２時（日本日時）に香港に居ることを意味し、日時の自動修正を行う旨を意味している。
また、３列目のスケジュールは、２００４年１０月９日  １５時２０分（日本日時）には、韓国に居ることを意味し、日時の自動修正を行う旨を意味している。
そして、ＣＰＵ９は、ユーザによって入力されたスケジュール情報（日時、場所、自動修正の有無）にしたがって、スケジュールの登録を行なう。ここでは、図２に示すようなスケジュールを登録したものとする。
【００４８】
次に、ＣＰＵ９は、現在の時計部１９の日本日時（現在は時計部１９の設定日時）が修正に必要な日時であるか否かを判断し、修正の必要な日時の場合は、時計部１９の設定日時の自動修正を行う（修正手段）。
この判断は、登録されたスケジュールにしたがって判断し、該スケジュールにしたがって日時の修正を行なう。
例えば、図２のスケジュール表の１列目は、自動修正無しとなっているので、時計部１９の日本日時が、２００４年１０月５日  ８時３０分になっても、自動修正を行わないが、時計部１９の日本日時が２００４年１０月６日  １２時になった場合には、日本日時が２００４年１０月６日  １２時の時の香港日時となるように時計部１９の設定日時を自動修正する。これにより、２００４年１０月６日  １２時以降に撮影を行うと、撮影画像とともに記録される日時は香港日時となる。
【００４９】
また、デジタルカメラ１に設定されている日本日時が、２００４年１０月９日  １５時２０分となった場合には、日本日時が２００４年１０月８日  １５時２０分の時の韓国日時となるように時計部１９の設定日時を自動修正する。この時計部１９の設定日時の修正は、時計部１９の内蔵メモリに記憶されているグリニッジ標準時の時差情報にしたがって時刻の自動修正を行なう。
【００５０】
なお、ユーザは、キー入力部１５を操作することにより時計部１９の設定日時をマニュアルで設定することもできる。この場合は、キー入力部１５からデジタルカメラ１の日時設定を変更する旨の操作信号がＣＰＵ９に送られてきた場合には、ＣＰＵ９は、該送られてきた操作信号に基づいて時計部１９の日時を設定する（日時設定手段）。
この時、ユーザが日本日時を時計部１９の設定日時として設定していた場合に、日時（日本日時）の設定変更を行なうと、それに伴なってワールドタイムの日時も変わることになる。
【００５１】
次に、ＣＰＵ９は、ユーザによって撮影条件を手動設定するためのマニュアル操作が行われたか否かを判断する。この判断は、キー入力部１５からマニュアル操作を行う旨の操作信号が送られてきたか否かにより判断を行う。
ユーザによって撮影条件を手動設定するためのマニュアル操作が行われたと判断すると、ユーザのマニュアル操作によって設定された撮影条件のパラメータから現在の時刻を推定する（推定手段）。
【００５２】
一方、撮影条件を自動設定するためのマニュアル操作が行われていないと判断すると、撮影条件の自動設定を行うか否かを判断する。撮影条件の自動設定を行う場合とは、ユーザによってシャッタボタンが半押し又は全押しされた時や、被写体のスルー画像表示時などのように、撮影条件のパラメータが自動的に設定するときをいい、撮影条件の自動設定を行わない場合とは、カレンダー表示や、撮影画像の再生時などがある。
撮影条件の自動設定を行うと判断すると、該自動的に設定された撮影条件のパラメータから現在時刻の推定を行なう（推定手段）。
この撮影条件のパラメータからの時刻の推定は、予めＲＯＭ８に記録されている撮影条件と推定時刻の換算テーブルによって推定する。
【００５３】
図３は、ＲＯＭ８に記録されている撮影条件と時刻の換算テーブルの様子を示したものである。
図３を見るとわかるように、ＷＢ「太陽光」、フラッシュ「ＯＦＦ」等の場合には、推定時刻は７時〜１７時となる。夜等に、ＷＢを「太陽光」に設定し、フラッシュを「ＯＦＦ」に設定して被写体を撮影するのは考え難いためであり、通常、昼間撮影であることが明らかであるからである。
また、フラッシュ「強制発光」、シャッタ速度「１／６０以下」、ＩＳＯ「２００以上」等の場合には、推定時刻は１８時〜５時となる。フラッシュを発光し、シャッタ速度が遅く、ＩＳＯ感度が高い場合には、撮影時間は通常夜であると考えることができるからである。
【００５４】
また、ベストショットシーン「夕日を写す」である場合には、推定時刻「１６時〜１８時」であり、ベストショットシーン「夜景を写す」の場合には、推定時刻は「１８時〜４時」となる。
このように、ユーザによって設定された撮影条件のパラメータや自動的に設定された撮影条件のパラメータから、撮影条件と推定時刻の換算テーブルを用いて現在の時刻の推定を行なう。
なお、撮影条件と推定時刻の換算テーブルを見てわかるように、推定時刻が大まかに設定してあるが（例えば、７時〜１７時など）、撮影条件の各パラメータの微妙な組み合わせにより、推定時刻を細かくするようにしてもよい。
【００５５】
そして、ＣＰＵ９は推定した時刻と現在の時計部１９の設定時刻との比較を行ない、推定した時刻と設定時刻とが矛盾するか否かを判断する（判断手段）。
そして、矛盾していると判断した場合はユーザに対して警告を行う（警告手段）。警告は、画像表示部１０に、現在の設定時刻が間違っており、設定時刻の修正が必要な旨を表示させたり、スピーカから設定時刻の修正が必要な旨を音や音声で報知する。
【００５６】
次に、ＣＰＵ９は、フラッシュメモリ１１に記録されている画像データの撮影時刻の修正を行なうか否かを判断する。この判断は、記録された画像データの撮影時刻の修正を行なう旨の操作信号がキー入力部１５から送られてきたか否かにより判断する。
ＣＰＵ９は、記録画像データの撮影時刻の修正を行なうと判断すると、画像表示部１０にフラッシュメモリ１１に記録した画像データのサムネイル画像を時系列的に表示させる（表示制御手段）。この時系列表示とは、撮影した日時の新しい画像データ順に、又は、撮影した日時の古い画像データ順に、サムネイル画像を表示させることをいう。
【００５７】
このとき、ユーザは画像表示部１０に時系列的に表示された画像データから日時の修正を行いたい画像データの範囲を選択する。この画像データの範囲の選択は、日時修正を行ないたい範囲の最初の画像データと、最後の画像データを選択することにより行なう。
また、ユーザは、該選択した画像データの撮影日時と本当の撮影日時との誤差を入力する。
【００５８】
ＣＰＵ９は、ユーザによって選択された画像データの範囲を指定範囲として指定し、また、ユーザによって入力された日時の誤差を誤差日時として設定する。そして、該指定した画像データの範囲の撮影日時に該設定した誤差日時を加えた日時となるように画像データの更新を行なう（更新手段）。
【００５９】
ＲＯＭ８には、ＣＰＵ９によるデジタルカメラ１の各部の制御に必要なプログラム、及び各部の制御に必要なデータが記録され、ＣＰＵ９はこのプログラムにしたがって処理を行うことにより本発明の撮影装置として機能する。
【００６０】
なお、ここでは、フラッシュメモリ１１に記録されている画像データの撮影日時を修正するようにしたが、メモリ・カード１３に記録されている画像データの撮影日時時を修正するようにしてもよい。つまり、撮影画像の日時修正を行なうと判断すると、メモリ・カード１３に記録されている画像データの画像を画像表示部１０に表示させ、ユーザによって入力された画像データの撮影日時に誤差日時を加えた日時となるように画像データの更新を行なう。
【００６１】
Ｃ．デジタルカメラ１の動作
実施の形態におけるデジタルカメラ１の動作を図４、５のフローチャートにしたがって説明する。
ユーザのキー入力部１５の操作によりデジタルカメラ１の電源がＯＮされると、ステップＳ１で、スケジュールの登録を行なうか否かを判断する。この判断は、キー入力部１５からスケジュール登録を行なう旨の操作信号が送られてきた場合に、スケジュールの登録を行なうと判断する。
【００６２】
ステップＳ１でスケジュールの登録を行なうと判断すると、スケジュール表を画像表示部１０に表示させる。そして、ユーザが該表示されたスケジュール表示にしたがって、日時（日付及び時刻）及び場所及び自動修正の有無の選択又は入力を行い、ユーザによって入力されたスケジュール情報（日付、時刻、場所、自動修正の有無）にしたがって、スケジュールの登録を行なう（ステップＳ２）。ここでは、図２に示すようなスケジュールが登録されたものとする。
【００６３】
そして、スケジュールの登録を行なうと、現在の日本日時が修正に必要な日時であるか否かを判断する（ステップＳ３）。この修正に必要な日時であるか否かの判断とは、現在の時計部１９の日本日時（日付、時刻）が登録されたスケジュールの日時になったか否かの判断のことである。なお、ここでは、日本日時を設定日時としているので、日本日時が時計部１９の設定日時となる。
例えば、図２を見ると、日本の日付で「２００４年１０月６日  １２時」には、「香港」にいるスケジュールとなっており、且つ、自動修正「有」なので、時計部１９の日本日時の日付が「２００４年１０月６日」で時刻が「１２時」になると修正に必要な日時であると判断する。
【００６４】
現在の日時が修正に必要な日時であると判断すると（ステップＳ３でＹに分岐）、スケジュールにしたがって、時計部１９の設定日時の自動修正を行い（ステップＳ４）、ステップＳ５に進む。
例えば、現在の時計部１９の日本日時（このときは、日本日時と設定日時は同一）が「２００４年１０月６日  １２時」になった場合は、時計部１９の設定日時を香港の日付、時刻となるように自動修正する。
一方、現在の日本日時が修正に必要な日時でないと判断すると（ステップＳ３でＮに分岐）、そのまま、ステップＳ５に進む。
【００６５】
ステップＳ５に進むと、ユーザによって撮影条件を設定するためのマニュアル操作が行われたか否かを判断する。この判断は、キー入力部１５からマニュアル操作を行う旨の操作信号が送られてきたか否かにより判断を行う。
ステップＳ５で、マニュアル操作が行われたと判断すると、撮影条件と推定時刻の換算テーブルを用いて（図３参照）、ユーザのマニュアル操作によって設定された撮影条件のパラメータ（ＷＢ、フラッシュ、シャッタ速度、ＩＳＯ感度）から時刻の推定を行なう（ステップＳ６）。
【００６６】
一方、ステップＳ５でユーザによって撮影条件を設定するためのマニュアル操作が行われていないと判断すると、撮影条件の自動設定を行うか否かを判断する（ステップＳ７）。撮影条件の自動設定を行う場合とは、ユーザによってシャッタボタンが半押し又は全押しされた時や、被写体のスルー画像表示時などのように、撮影条件のパラメータを自動的に設定するときをいい、撮影条件の自動設定を行わない場合とは、カレンダー表示や、撮影画像の再生時などがある。
被写体のスルー画像表示時には、一定の時間間隔毎に、撮影条件のパラメータ、例えば、露出やホワイトバランスなどをその撮影状況に応じて随時設定しているからである。
【００６７】
ステップＳ７で撮影条件の自動設定を行わない場合にはステップＳ１２に進み、撮影条件の自動設定が行われた場合は、撮影条件と推定時刻の換算テーブルを用いて、自動的に設定された撮影条件のパラメータから時刻の推定を行なう（ステップ８）。
ステップＳ６又はステップＳ８で推定した時刻と、現在の時計部１９の設定時刻とを比較し（ステップＳ９）、推定した時刻が現在のデジタルカメラ１の設定時刻と矛盾するか否かを判断する（ステップＳ１０）。
例えば、推定した時刻が「１６時〜１８時」であるのに対して、時計部１９の設定時刻が「１４時」である場合には矛盾していると判断する。
【００６８】
ステップＳ１０で、推定時刻が設定時刻と矛盾していないと判断すると、ステップＳ１２に進み、推定時刻が設定時刻と矛盾している場合には、警告を行ってから（ステップＳ１１）、ステップＳ１２に進む。警告には、設定時刻が間違っており、時刻合わせが必要な旨を画像表示部１０に表示させたり、スピーカから時刻合わせが必要な旨の音や音声を放音させたりする。
ステップＳ１２に進むと、フラッシュメモリ１１に記録した画像データの撮影日時の修正を行なうか否かを判断する。この判断は、ユーザのキー入力部１５の操作により記録した画像データの撮影時刻の修正を行なう旨の操作信号が送られてきたか否かにより判断する。
【００６９】
ステップＳ１２で、記録画像データの撮影時刻の修正を行なわないと判断するとステップＳ３に戻り、記録画像データの撮影時刻の修正を行なうと判断すると、記録した画像データのサムネイル画像を時系列的に表示させる（ステップＳ１３）。この時系列表示とは、撮影日時の新しい画像データ順、又は、撮影日時の古い画像データ順に画像表示部１０に表示させることをいう。
図６（ａ）は、画像表示部１０に時系列的に表示されたサムネイル画像を示すものである。個々のサムネイル画像の右下に撮影日時が表示されているのがわかり、右上の番号は、画像の番号を表している。ここでは、撮影日時の新しい順にサムネイル画像を表示しているので、番号が若いほど撮影日時の新しい画像データであることを示している。
【００７０】
ここで、ユーザはキー入力部１５の操作により日時修正を行なう画像データの範囲を選択する。この選択は、日時修正を行なう画像データの範囲の中で最初の画像データに対応するサムネイル画像と、最後の画像データに対応するサムネイル画像とを選択することにより行なう。
例えば、ユーザが図６（ａ）の画像番号９、及び８の画像データを２００４年１０月１４日に日本で撮影した後、バンコクに行った場合に、予めスケジュール登録やバンコクの現地で時刻の修正を行なうのを忘れて、画像番号７〜２までの画像をバンコクで撮影したとする。つまり、画像番号７〜２に対応する画像データは、日本日時で撮影された画像データある。その後、バンコクから帰国後、画像番号１の画像データを日本で撮影した後に、ユーザがバンコクの日時に修正を行うことなく、バンコクで撮影を行ったと気付く場合がある。
このような場合には、ユーザは、画像番号２〜画像番号７の画像データを選択することにより画像番号２〜画像番号７までの複数の画像データの撮影日時を一遍に正しい日時に修正することができる。
【００７１】
まず、画像番号２〜画像番号７までの画像データの撮影日時を修正したいので、最初である画像番号２のサムネイル画像と、最後である画像番号７のサムネイル画像（画像データの範囲）を選択する。
図６（ｂ）は、そのときの様子を示したものである。太い外枠で囲われているサムネイル画像が選択されたサムネイル画像であることを示している。
また、ユーザは日時修正を行なう画像データの範囲を選択すると、選択した画像データの撮影日時と、本当の撮影日時との誤差を入力する。バンコクの日時は、日本の日時より役２時間遅れているので、ここでは、誤差を「−２時間」と入力したものとする。
【００７２】
なお、ユーザは、日時修正を行う画像データの範囲（画像番号が連続する画像データ）を選択するようにしたが、日時修正を行ないたい画像データを１つ選択するようにしてもよいし、画像番号が連続していない複数の画像データを選択するようにしてもよい。つまり、画像番号５のみを選択したり、画像番号１、画像番号４、画像番号６、画像番号９というように画像番号が連続していない複数の画像データを選択するようにしてもよい。
【００７３】
そして、図５のフローチャートに戻り、ステップＳ１４で、ユーザによって選択された画像データの範囲を指定範囲として設定する。ここでは、最初の画像データとして画像番号２のサムネイル画像が、最後の画像データとして画像番号７のサムネイル画像が選択されたので、指定範囲として設定された画像データの範囲は画像番号２〜画像番号７のそれぞれのサムネイル画像に対応する画像データである。
次いで、ユーザによって入力された誤差（ここでは−２時間）を誤差日時として設定する（ステップＳ１５）。
なお、指定範囲として設定された画像データが日本日時で撮影してしまったが、本当はバンコクなどの海外で撮影した場合には、「バンコク」とユーザが選択すれば、日本の日時とバンコクの日時の誤差を自動的に算出して誤差日時として設定を行うようにしてもよい。この場合には、サムネイル画像とともに、撮影した国情報などを表示させるようにしてもよい。
【００７４】
次いで、指定された画像データの撮影日時の修正を行う（ステップＳ１６）。
つまり、指定された範囲の画像データ（画像番号２〜７に対応する画像データ）の撮影日時に、設定された誤差日時を加えた日時となるように画像データの変更を行なう。
図７は、撮影日時の修正後の時系列的に表示されたサムネイル画像を示すものである。図７を見ると明らかなように、２枚目の画像の撮影日時は、「２００４年１０月１６日  １６：４０」から「２００４年１０月１６日  １４：４０」と変更されている。また、３枚目の画像の撮影日時も「２００４年１０月１６日  １６：１８」から「２００４年１０月１６日  １４：１８」と変更されている。同様に、３枚目、４枚目、５枚目の画像の撮影日時も元の画像の撮影日時（図６参照）から「−２時間」を加えた日時となっていることがわかる。
【００７５】
Ｄ．以上のように、実施の形態においては、自動設定又はマニュアル設定された撮影条件のパラメータにより現在時刻を推定し、デジタルカメラ１の設定時刻と推定された時刻とが矛盾するか否かを判断し、矛盾する場合には、ユーザに対して警告を行うので、旅行先で時刻の設定を忘れた場合であっても、ユーザに対して設定時刻が違うことを知らせることができる。
また、ユーザに設定時刻が違うことを知らせるので、被写体を撮影する前に設定時刻が違うことを認識することができ、設定時刻が違う状態での被写体の撮影を防止することができ、時刻合わせを忘れて撮影してしまうのを防止することができる。
【００７６】
また、登録されたスケジュールにしたがって、設定時刻を修正するので、予めスケジュールの登録をしておくことにより、旅行先でも正しい時刻に自動的に設定され、便利である。
また、旅行中は、楽しさや忙しさにより心が奪われて、デジタルカメラ１の設定時刻を現地時刻などに合わせることを忘れがちであるが、余裕のある旅行前に予めスケジュールの登録を行なうことができ、デジタルカメラ１の時刻合わせを気にせず、デジタルカメラ１を使用することができる。
【００７７】
日時修正を行ないたい撮影画像データの範囲を選択して、その撮影日時との誤差を入力することにより、記録した撮影画像の撮影日時を正しい撮影日時に修正するので、簡単に撮影画像の撮影日時を修正することができ、時刻設定ミスを犯しても手間がかからない。
また、海外旅行から帰ってきた後に、海外先で時刻合わせをしなかったことを気づいた場合でも、海外先で撮影した画像データをすべて指定し、現地との時差を入力するだけで、海外先で撮影したすべての画像データの日時を一括して正しい日時に変更することができる。
【００７８】
また、記録した撮影画像の時刻修正を簡単に行なうことができるので、推定時刻と設定時刻とが違う旨の警告を受けたときが、シャッタチャンスなどの２度と撮影することができないような場面であっても、そのまま撮影することによりシャッタチャンスなどを逃すことなく、且つ、精確な撮影日時で撮影した画像を保存することができる。
【００７９】
なお、上記実施の形態においては、現在の日本日時がスケジュール登録された日時となった場合に日時の修正を行なうようにしたが、これに限られるものではなく、他の国や都市の日時を基準にして、該基準となった日時がスケジュール登録された日時となった場合に日時の修正を行なうようにしてもよい。この場合、ユーザは予め基準となる国又は都市の日時を基準日時として指定する。
例えば、図２を用いて説明すると、ロンドンの日時を基準日時として設定した場合には、ロンドン日時が２００４年１０月６日１２時になると、香港時刻となるように、時計部１９の設定日時を修正する。そして、ロンドン日時が２００４年１０月９日１５時２０分になると、韓国日時となるように時計部１９の設定日時を修正する。そして、ロンドン日時で２００４年１０月１３日１６時４０分になると日本日時となるように時計部１９の設定時刻を修正するようにする。
ここで、注意しなければならないのは、時計部１９の設定日時と基準日時は異なることになる。撮影を行って画像データとともに記録される日時は、デジタルカメラ１の設定日時であるということになる。
【００８０】
また、現在の時計部１９の設定時刻が、スケジュール登録された日時になった場合に、日時の修正を行なうようにしてもよい。例えば、図２を用いて説明すると、日本日時で２００４年１０月６日１２時になると、香港日時となるように、デジタルカメラ１の設定日時を修正する。そして、次は、香港日時で２００４年１０月９日１５時２０分になると、韓国日時となるようにデジタルカメラ１の設定日時を修正する。そして、韓国日時で２００４年１０月１３日１６時４０分になると日本日時となるようにデジタルカメラ１の設定日時を修正するようにする。
【００８１】
また、上記実施の形態においては、フラッシュメモリ１１やメモリ・カード１３に記録されている画像データの撮影日時の修正を行うと判断した場合は、記録されている画像データのサムネイル画像を時系列的に表示させるようにしたが、再生モードなどの記録した画像を表示させるモードの場合に表示された記録画像や、記録画像のサムネイル画像を見てから、撮影日時の修正を行いたい画像を選択させるようにしてもよい。つまり、ユーザが撮影日時を修正する意思がなく、記録した画像を再生した後に、撮影日時が間違っていると気が付いた場合には、そのまま、撮影日時の修正を行いたい画像データを選択させて、撮影日時の修正を行うようにしてもよい。
【００８２】
また、上記実施の形態における撮影装置は、上記の実施の形態に限定されるものではなく、カメラ付き携帯電話、ＰＤＡ、パソコン等、又はデジタルビデオカメラ等でもよく、要は被写体を撮影することができる機器であれば何でもよい。
【図面の簡単な説明】
【００８３】
【図１】本発明の実施の形態のデジタルカメラのブロック図である。
【図２】画像表示部１０に表示され、ユーザによって日時等が入力された後のスケジュール表を示すものである。
【図３】ＲＯＭ８に記録されている撮影条件と時刻の換算テーブルの様子を示したものである。
【図４】実施の形態のデジタルカメラの動作を示すフローチャートである。
【図５】実施の形態のデジタルカメラの動作を示すフローチャートである。
【図６】画像表示部１０に時系列的に表示された画像データのサムネイル画像の様子を示す図である。
【図７】時刻修正後の画像表示部１０に表示された画像データのサムネイル画像の様子を示す図である。
【符号の説明】
【００８４】
１      デジタルカメラ
２      撮影レンズ
３      絞り兼用シャッタ
４      ＣＣＤ
５      ユニット回路
６      ＴＧ
７      ＤＲＡＭ
８      ＲＯＭ
９      ＣＰＵ
１０    画像表示部
１１    フラッシュメモリ
１２    カードＩ／Ｆ
１３    メモリ・カード
１４    モータ駆動ブロック
１５    キー入力部
１６    音声処理部
１７    ストロボ駆動部
１８    ストロボ発光部
１９    時計部
【図１】
2006162367.tif 000003
【図２】
2006162367.tif 000004
【図３】
2006162367.tif 000005
【図４】
2006162367.tif 000006
【図５】
2006162367.tif 000007
【図６】
2006162367.tif 000008
【図７】
2006162367.tif 000009